(57)【要約】【課題】接着作業を要することなく、低コストで簡単に組み立てることができる底緩衝材を提供すること。【解決手段】方形の筒状部材２の内部に管状部材３を挿入して底緩衝材１を構成する。ここで、前記筒状部材２と管状部材３を段ボール紙で構成する。又、前記筒状部材２の長手方向両端部に、切欠き４を折り曲げて形成されるストッパ５を設ける。更に、前記管状部材３を横断面逆Ｖ字状に成形するとともに、その左右端及び上端と前記筒状部材２の内壁との間に所定の隙間Ｘ，Ｙを設ける。そして、前記管状部材３の内部に波板状の補強材６を挿入する。【選択図】図１
2008247447.tif 000002
【特許請求の範囲】
【請求項１】
方形の筒状部材の内部に管状部材を挿入して構成されることを特徴とする底緩衝材。
【請求項２】
前記筒状部材と前記管状部材を段ボール紙で構成したことを特徴とする請求項１記載の底緩衝材。
【請求項３】
前記筒状部材の長手方向両端部に、切欠きを折り曲げて形成されるストッパを設けたことを特徴とする請求項１又は２記載の底緩衝材。
【請求項４】
前記管状部材の両端部に、荷重を受けると横方向にスライドして前記筒状部材の内壁に当接する脚部を設けたことを特徴とする請求項１〜３の何れかに記載の底緩衝材。
【請求項５】
前記管状部材を横断面逆Ｖ字状に成形するとともに、その左右端及び上端と前記筒状部材の内壁との間に所定の隙間を設けたことを特徴とする請求項４記載の底緩衝材。
【請求項６】
前記管状部材の内部に波板状の補強材を挿入したことを特徴とする請求項１〜５の何れかに記載の底緩衝材。
【発明の詳細な説明】
【技術分野】
【０００１】
本発明は、例えば複写機やプリンタ等のＯＡ機器を梱包する際に使用される底緩衝材に関するものである。
【背景技術】
【０００２】
例えば複写機やプリンタ等のＯＡ機器を搬送する際には、これらを段ボール箱等に梱包するが、搬送中の衝撃からＯＡ機器を保護するため、例えば図８に示すような底緩衝材１０１が段ボール箱の底に設置され、この底緩衝材１０１の上にＯＡ機器を載置してこれを梱包することが行われていた。
【０００３】
図８は従来の底緩衝材１０１の分解斜視図であり、図示の底緩衝材１０１は、段ボールシート１０２と複数の積層段ボール１０３，１０４，１０５とで構成されており、積層段ボール１０３，１０４，１０５は段ボールシート１０２の筒状部１０２ａや凹部１０２ｂに挿入されて接着されて段ボールシート１０２と一体化されている。
【０００４】
その他、特許文献１〜３には種々の梱包用緩衝材が提案されている。
【特許文献１】実開平４−０４５２６６号公報
【特許文献２】実開平５−０６２４７２号公報
【特許文献３】特開平１０−０３５７４０号公報
【発明の開示】
【発明が解決しようとする課題】
【０００５】
しかしながら、図８に示す従来の底緩衝材１０１にあっては、積層段ボール１０３，１０４，１０５の段ボールシート１０２への接着作業が必要であるため、作業工数が増え、コストアップを免れないという問題があった。又、特許文献１〜３において提案された梱包用緩衝材についても同様の問題があった。
【０００６】
本発明は上記問題に鑑みてなされたもので、その目的とする処は、接着作業を要することなく、低コストで簡単に組み立てることができる底緩衝材を提供することにある。
【課題を解決するための手段】
【０００７】
上記目的を達成するため、請求項１記載の発明は、方形の筒状部材の内部に管状部材を挿入して底緩衝材を構成したことを特徴とする。
【０００８】
請求項２記載の発明は、請求項１記載の発明において、前記筒状部材と管状部材を段ボール紙で構成したことを特徴とする。
【０００９】
請求項３記載の発明は、請求項１又は２記載の発明において、前記筒状部材の長手方向両端部に、切欠きを折り曲げて形成されるストッパを設けたことを特徴とする。
【００１０】
請求項４記載の発明は、請求項１〜３の何れかに記載の発明において、前記管状部材の両端部に、荷重を受けると横方向にスライドして前記筒状部材の内壁に当接する脚部を設けたことを特徴とする。
【００１１】
請求項５記載の発明は、請求項４記載の発明において、前記管状部材を横断面逆Ｖ字状に成形するとともに、その左右端及び上端と前記筒状部材の内壁との間に所定の隙間を設けたことを特徴とする。
【００１２】
請求項６記載の発明は、請求項１〜５の何れかに記載の発明において、前記管状部材の内部に波板状の補強材を挿入したことを特徴とする。
【発明の効果】
【００１３】
請求項１記載の発明によれば、方形の筒状部材の内部に管状部材を挿入するだけの簡単な作業で底緩衝材を組み立てることができ、従来のように接着作業が不要となるため、所期の緩衝性能を備えた底緩衝材を低コストで得ることができる。
【００１４】
請求項２記載の発明によれば、筒状部材と管状部材を安価な段ボール紙で簡単に得ることができるとともに、段ボール紙の弾性によって底緩衝材に所要の緩衝性能を確保することができる。
【００１５】
請求項３記載の発明によれば、筒状部材の内部に挿入された管状部材の筒状部材からの抜けを筒状部材のストッパによって確実に防ぐことができる。
【００１６】
請求項４記載の発明によれば、当該底緩衝材に製品が載せられたために管状部材が荷重を受けると、その両端部の脚部が横方向にスライドして筒状部材の内壁に当接して荷重を受けることによって筒状部材の変形を抑制するため、当該底緩衝材の積載許容荷重が高められる。
【００１７】
請求項５記載の発明によれば、横断面逆Ｖ字状に成形された管状部材の左右端及び上端と筒状部材の内壁との間に所定の隙間を設けたため、各隙間を調整することによって製品を当該底緩衝材に載せたときの筒状部材の沈み量が変化し、該底緩衝材の緩衝性能を自在に調整することができる。
【００１８】
請求項６記載の発明によれば、管状部材が波板状の補強材によって補強されるため、底緩衝材全体の強度と剛性が高められる。
【発明を実施するための最良の形態】
【００１９】
以下に本発明の実施の形態を添付図面に基づいて説明する。
【００２０】
図１は本発明に係る底緩衝材の正面図、図２は同底緩衝材の斜視図、図３(ａ)〜（ｃ）は同底緩衝材の組立手順を示す図、図４は図３(ａ)の要部拡大詳細図である。
【００２１】
本発明に係る底緩衝材１は、図１に示すように、方形の筒状部材２の内部に横断面逆Ｖ字状の管状部材３を挿入して構成されており、これらの筒状部材２と管状部材３は何れも段ボール紙で構成されている。
【００２２】
上記管状部材３は、横断面逆Ｖ字状に成形されており、その左右には、該管状部材３が荷重を受けると横方向にスライドして筒状部材２の左右の内壁に当接する脚部３ａが形成されている。尚、管状部材３は、その長手方向長さが筒状部材２の長手方向長さよりも短く設定されている。
【００２３】
そして、筒状部材２の長手方向両端部には、図２に示すように、切欠き４を直角に折り曲げて形成されるストッパ５が設けられており、これらのストッパ５によって管状部材３の筒状部材２内での長手方向の移動が規制されるとともに、該管状部材３の筒状部材２からの抜けが防がれる。
【００２４】
又、図１に示すように、管状部材３の内部には、段ボール紙によって波板状に成形された補強材６が挿入されており、この補強材６によって管状部材３の強度と剛性が高められている。
【００２５】
次に、以上の構成を有する底緩衝材１の組立要領を図３（ａ）〜（ｃ）に基づいて説明する。
【００２６】
図３（ａ）に示す矩形の段ボールシート７は、筒状部材２の素材を構成するものであって、その長手方向一端の幅方向中央にはコの字状の切欠き溝７ａが切り込みによって形成されており、同段ボールシート７の長手方向他端の幅方向中央には舌片状の係合片７ｂが形成されている。又、段ボールシート７には複数の折込線ａ〜ｅが形成されており、折込線ｂに沿う幅方向両端には、図４に詳細に示すように、長手方向に切欠き４が切り込みによってそれぞれ形成されており、各切欠き４の長手方向両端には折込線ｆがそれぞれ形成されている。
【００２７】
而して、図３（ａ）に示す段ボールシート７を折込線ａ〜ｄに沿って折り込み、係合片７ｂを切欠き溝７ａに差し込むことによって、図３（ｂ）に示すような方形の筒状部材２が得られる。このようにして筒状部材２が得られると、この筒状部材２の内部に管状部材３を挿入し、筒状部材２の長手方向両端部に設けられた切欠き４を該筒状部材２の内方に押し込み、該切欠き４を折込線ｂに沿って谷折り、折込線ｆに沿って山折りすることによって、図３（ｃ）に示すように直角に折り曲げられたストッパ５が形成され、前述のように、これらのストッパ５によって管状部材３の筒状部材２内での長手方向の移動が規制されるとともに、該管状部材３の筒状部材２からの抜けが防がれる。
【００２８】
以上の要領によって底緩衝材１が簡単に組み立てられるが、このようにして組み立てられた底緩衝材１においては、図１に示すように、管状部材３の左右端及び上端と筒状部材２の内壁との間には所定の隙間Ｘ，Ｙがそれぞれ設けられている。
【００２９】
以上のように、本発明に係る底緩衝材１は、方形の筒状部材２の内部に管状部材３を挿入するだけの簡単な作業で組み立てられ、従来のように接着作業が不要となるため、これを低コストで得ることができる。
【００３０】
又、本実施の形態によれば、筒状部材２と管状部材３を安価な段ボール紙で簡単に得ることができるとともに、段ボール紙の弾性によって底緩衝材１に所要の緩衝性能を確保することができる。そして、管状部材３が波板状の補強材６によって補強されるため、底緩衝材１全体の強度と剛性が高められる。
【００３１】
更に、本実施の形態では、横断面逆Ｖ字状に成形された管状部材３の左右端及び上端と筒状部材２の内壁との間に所定の隙間Ｘ，Ｙをそれぞれ設けたため、各隙間Ｘ，Ｙを調整することによって製品を当該底緩衝材１に載せたときの筒状部材２の沈み量が変化し、該底緩衝材１１の緩衝性能を自在に調整することができる。特に、本実施の形態では、管状部材３を横断面逆Ｖ字状に成形して、その左右両端に脚部３ａを設けたため、当該底緩衝材１に製品が載せられたために管状部材３が荷重を受けると、その両端部の脚部２ａが横方向に距離Ｘだけスライドして筒状部材２の内壁に当接して荷重を受け、筒状部材２の変形を抑制するため、当該底緩衝材１の積載許容荷重が高められる。
【００３２】
尚、本実施の形態では、筒状部材２と管状部材３を段ボール紙で構成したが、これらは他の任意の材料で構成することができる。又、本実施の形態では、横断面逆Ｖ字状の管状部材３を用いたが、管状部材３の横断面形状は任意であり、例えば図５に示すような横断面Ｖ字状のもの、図６に示すような横断面Ｍ字状のもの、図７に示すような横断面Ｗ字状のもの等を使用することができる。
【図面の簡単な説明】
【００３３】
【図１】本発明に係る底緩衝材の正面図である。
【図２】本発明に係る底緩衝材の斜視図である。
【図３】（ａ）〜（ｃ）は本発明に係る底緩衝材の底緩衝材の組立手順を示す図である。
【図４】図３(ａ)の要部拡大詳細図である。
【図５】本発明の別形態に係る底緩衝材の正面図である。
【図６】本発明の別形態に係る底緩衝材の正面図である。
【図７】本発明の別形態に係る底緩衝材の正面図である。
【図８】従来の底緩衝材の分解斜視図である。
【符号の説明】
【００３４】
１      底緩衝材
２      筒状部材
３      管状部材
３ａ    筒状部材の脚部
４      切欠き
５      ストッパ
６      補強材
７      段ボールシート
７ａ    段ボールシートの切欠き溝
７ｂ    段ボールシートの係合片
ａ〜ｆ  折込線
Ｘ，Ｙ  隙間
【図１】
2008247447.tif 000003
【図２】
2008247447.tif 000004
【図３】
2008247447.tif 000005
【図４】
2008247447.tif 000006
【図５】
2008247447.tif 000007
【図６】
2008247447.tif 000008
【図７】
2008247447.tif 000009
【図８】
2008247447.tif 000010